(57)【要約】【課題】狭いカラオケルームにおいて、死角のない有効な音場を広げ、ステレオ音響を実現するカラオケ音声を提供することができるカラオケシステム等を提供する。【解決手段】指向性を有する複数のスピーカユニットを、天井ないし天井付近に壁面に向けての照明機器と一体化して設置する。【選択図】図１
2017063240.tif 000002
【特許請求の範囲】
【請求項１】
狭小なカラオケルーム用音響照明装置であって、独立した４つのスピーカユニットをもち、
部屋の中央の垂直に交わる４方向外向きに、一直線状に対向する２つの上記スピーカユニットが、ステレオ音声の右と左となるように、
かつ俯角を付けて設置され、
当該スピーカユニットは天井の照明装置と一体化して設置されることを特徴とするカラオケルーム用音響照明装置。
【請求項２】
上記請求項１記載の音響照明装置のスピーカユニット数を４以外の時においても、
部屋の中央で交わる多方向外向きに、
一直線状に対向する２つの上記スピーカユニットが、ステレオ音声の右と左となり、
かつ、ステレオ音声の右と左が装置内で二分された向きに設置されることを特徴とする請求項１記載のカラオケルーム用音響照明装置。
【発明の詳細な説明】
【技術分野】
【０００１】
本発明は、主としてカラオケ店においてカラオケ機器の一部として使用されるスピーカ装置に関するものである。
【背景技術】
【０００２】
カラオケ店におけるカラオケ歌唱では、狭小な空間で大音量のスピーカを響かせて歌唱していることが一般的となっている。
【０００３】
狭いカラオケルームにスピーカを置くスペースを確保することは難しく、スピーカに近い人に好適な音量で音声を提供すれば、スピーカから遠い場所では音量が小さすぎ、スピーカから遠い人に好適な音量で音声を提供すればスピーカの近くでは音量が大きすぎ、各利用者に提供する音声の音量を十分に均一にすることができない問題があった。
そのため、これらの問題を対処すべく天井近くにスピーカを設置することが多い。
【０００４】
天井近くのスピーカは下にいる利用者へ向けようと俯角とつけて設置しがちであるが、下へ向けることにより、やはり上記のようなスピーカに近い人遠い人で聞こえ方が異なったり、音量が大きくなる場所では歌唱用マイクを通じてハウリングが発生するという問題も生じている。
【０００５】
そのため、下向きの俯角を付けることは難しく、水平向きに設置した結果天井付近で大音量が響き、音質的に難のあるカラオケルームが多々見受けられた。
【先行技術文献】
【特許文献】
【０００６】
【特許文献１】特開2007-259088号公報
【特許文献２】特開平9-233588号公報
【発明の概要】
【発明が解決しようとする課題】
【０００７】
特許文献１は、カラオケルームへの取り付け容易、かつより均一な音量でカラオケ音を提供することができるカラオケシステム等を提供する。
カラオケ楽曲を演奏するカラオケ演奏装置からの演奏データとマイクロホンで収音した利用者の音声データを入力するインタフェースと、複数のスピーカユニットが配列されてなるスピーカアレイであって、仰角を向けて設置されるものと、スピーカアレイから複数の焦点に向けて音声ビームが出力するようなディレイを演奏データに付与するためのディレイ制御値が設定され、該ディレイ制御値に基づいて、演奏データ及び利用者の音声データに対してディレイを付与して各スピーカユニットに出力する信号処理部と、を備えたスピーカ装置である。
【０００８】
特許文献２は、設置のための床面積を必要としないで、音像を自由な位置に定位させることのできるスピーカ装置を提供する。
指向性を有する１つまたは複数のスピーカユニットを、天井ないし天井付近に設置する。スピーカユニットによって得られる指向性の主軸をリスナの周囲の壁面の方向に向けた状態で、スピーカユニットの回転制御を行う。
【課題を解決するための手段】
【０００９】
特許文献１は、同じ部屋のすべての利用者に均一な音量で音声を聞かせるために、仰角の異なる複数（利用者数分）のスピーカを用意する必要がある。
特許文献２は、上記均一な音量を提供するためにスピーカを回転させる必要がある。
【００１０】
上記の課題を解決するため、本発明の発明者は、スピーカの設置位置を部屋の中央に置こうとしたがカラオケ室は狭い空間に様々なものが置かれるため部屋中央の床上に置くことは現実的でない。部屋の中央で天井近くには通常、照明装置があるため照明装置とスピーカの一体化を考えた。
そこで本発明の請求項１は、
狭小なカラオケルーム用音響照明装置であって、
独立した４つのスピーカユニットをもち、
部屋の中央の垂直に交わる４方向外向きに、
一直線状に対向する２つの上記スピーカユニットが、ステレオ音声の右と左となるように、かつ俯角を付けて設置され、
当該スピーカユニットは天井の照明装置と一体化して設置されることを特徴とするカラオケルーム用音響照明装置である。
【００１１】
また本発明の請求項２は、
上記請求項１記載の音響照明装置において、スピーカユニット数を４に限ることなく、部屋の中央で交わる多方向外向きに、
一直線状に対向する２つの上記スピーカユニットが、ステレオ音声の右と左となり、
かつ、ステレオ音声の右と左が分散することなく、装置内を二分する形で設置されることを特徴とする請求項１記載のカラオケルーム用音響照明装置である。
【発明の効果】
【００１２】
これにより、スピーカユニットを外に向けることで歌唱者の使用するマイクへ音声が直接入力することを避け狭いカラオケルーム内でもマイクのハウリングを回避しつつ、音響的な死角のない状態でカラオケを楽しむことができる。
【図面の簡単な説明】
【００１３】
【図１】本発明の請求項１に係るスピーカユニット設置の側面図。
【図２】本発明の請求項１に係るスピーカユニット設置の一例の平面図。
【図３】本発明の請求項１に係るスピーカユニット設置の他の平面図の例。
【図４】本発明の請求項２に係るスピーカユニット設置の他の平面図の例。
【図５】本発明の請求項２に係るスピーカユニット設置の他の平面図の例。
【発明を実施するための形態】
【００１４】
本発明のイメージを図で説明する。
本発明は、側面図・図１のように、天井の照明器具３と一体化したスピーカ１、スピーカ２が斜め下の俯角をもって壁に向けて設置されている。
【００１５】
図２、図３は平面図の例である。本実施例では４つのスピーカユニットは４方向に向いているが、スピーカユニットの数は部屋の広さによって増減してよい。
【００１６】
図４は、請求項２の例である。請求項１では一般的な四角系の部屋を想定して４つのスピーカユニットの例で説明したが、部屋が四角形以外だった場合や少し広めの部屋だった場合、スピーカ数が４以外の場合の例で、八角形の場合の例である。この場合も図４のように、ステレオ音声の左右は分散せず右と左が固まった状態で配置する。
【００１７】
ここで、スピーカユニットの数は部屋の形に依存することなく、図５のような形の部屋で多数のスピーカユニットを設置することもできる。
【産業上の利用可能性】
【００１８】
これにより、カラオケルームのどこに居ても良質のステレオ音声を、ハウリングを回避しつつ、死角が少ない状態で楽しむことができる。
【符号の説明】
【００１９】
１・・スピーカ
２・・スピーカ
３・・照明機器
【図１】
2017063240.tif 000003
【図２】
2017063240.tif 000004
【図３】
2017063240.tif 000005
【図４】
2017063240.tif 000006
【図５】
2017063240.tif 000007